Podtech/llm-jp-corpus-v4-ja_patent huggingface dataset:
(57)【要約】【課題】スポーツ用手袋に工夫をほどこしてゴルフクラブや野球バットのスイング時に使用効果を上げることができるようにする。【解決手段】スポーツ用手袋の掌（てのひら）の内面の少なくとも中央部に貼り付けて使用する遠赤外線発生源粉末を内蔵した遠赤外線発生用柔軟シート状部材を見出し、スポーツ用手袋がゴルフおよび野球用のいずれかのものであり、遠赤外線発生源が緑色片岩および備長炭などで、柔軟シート状部材として紙、軟質樹脂シート、不織布や繊維生地のいずれかを用い、その部材内に含有させるか、部材間に分散挟持させて使用する。【効果】本考案のスポーツ用手袋を着用して、ゴルフクラブあるいは野球バットを握りスイングすれば打球に今までよりも強い力がかかり、打球方向が安定し、速い速度で飛距離が伸び、使用効果を高めることができる。【選択図】    図１
0003110593.tif 000002
【実用新案登録請求の範囲】
【請求項１】
スポーツ用手袋の掌（てのひら）の内面の少なくとも中央部に貼り付けて  使用する遠赤外線発生源の粉末を内蔵した遠赤外線発生用柔軟シート状部材。
【請求項２】
スポーツ用手袋がゴルフおよび野球用のいずれかのものである請求項１記載の遠赤外線発生用柔軟シート状部材。
【請求項３】
遠赤外線発生源が緑色片岩および備長炭のいずれかである請求項１記載の遠赤外線発生用柔軟シート状部材。
【請求項４】
柔軟シート状部材が紙、軟質樹脂シート、不織布、繊維生地のいずれかである請求項１記載の遠赤外線発生用柔軟シート状部材。
【請求項５】
遠赤外線発生源粉末の内蔵が遠赤外線発生源粉末を柔軟シート状部材内に含有させるか、柔軟シート状部材間に分散挟持させることである請求項１記載の遠赤外線発生用柔軟シート状部材。
【考案の詳細な説明】
【技術分野】
【０００１】
本考案は手の力を高めるスポーツ用手袋に関する。
【背景技術】
【０００２】
従来からゴルフクラブや野球バットの握り具合をよくするため、革製等の手袋が広く用いられているが、掌（てのひら）の保護や滑り止めを目的とするものがある程度である。たとえば、特許文献１によれば、手袋の手の平部分内面に滑り止め加工部を設け、手の平面と手袋の手の平部分とが位置ずれしないようにしたものがある。
【特許文献１】特開2004-197264
【考案の開示】
【考案が解決しようとする課題】
【０００３】
本考案はゴルフクラブや野球バットを使用する際、手の力を高めることができるようにするものである。
【課題を解決するための手段】
【０００４】
ここにおいて本考案者はスポーツ用手袋の掌（てのひら）の内面の少なくとも中央部に貼り付けて使用する遠赤外線発生源粉末を内蔵した遠赤外線発生用柔軟シート状部材を見出し、スポーツ用手袋がゴルフおよび野球用のいずれかのものであり、遠赤外線発生源が緑色片岩および備長炭などで、柔軟シート状部材として紙、軟質樹脂シート、不織布や繊維生地のいずれかを用い、その部材内に含有させるか、部材間に分散挟持させて使用すると好適であることを見出すに至った。
【０００５】
近年、遠赤外線効果が注目されるようになり、各方面で利用されている。遠赤外線は体温により発生し、それが人体の皮下に浸透して細胞を共振させ、熱を発生させて身体を温めるという特性を持っているので、人体の所要部分を加温し、それにより血行を良くするので、筋肉に活力を与え運動能力を高める効果があると思われる。本考案はこれに着目したものである。
【考案の効果】
【０００６】
本考案のスポーツ用手袋の掌（てのひら）の内面の少なくとも中央部に本考案の遠赤外線発生用柔軟部材を貼り付け、それを着用して、ゴルフクラブあるいは野球バットを握りスイングすれば打球に今までよりも強い力がかかり、打球方向が安定したり、速い速度で飛距離が伸びるなどの効果が認められる。なお、本考案のスポーツ用手袋を野球の場合グローブ用に使用すれば捕球の確実さが得られやすい。また、登山用のストック用に使用すれば歩行が楽になるなどの効果もある。
【考案を実施するための最良の形態】
【０００７】
スポーツ用手袋の内面に本考案の遠赤外線発生用柔軟シート状部材を貼り付けるには、予め柔軟シート状部材の片側外面に接着剤を塗布して剥離紙を貼付しておき、手袋の掌（てのひら）内面に柔軟シート状部材の接着剤面を貼付するようにしてもよく、また、柔軟シート状部材を縫い付けるようにしてもよい。
【０００８】
以上に述べた遠赤外線発生用柔軟シート状部材を得るのに、たとえば、緑色片岩や備長炭などの粉末を不織布製造時樹脂に内蔵させておいてもよいが、適宜厚さの不織布に散布して、それを挟持するように不織布を重ね合わせ熱溶着や接着剤により接着・固定してから、片方の表面に接着剤を塗布し、それに剥離紙を当てておき、35ｍｍ×70ｍｍ程度のシート状部材に切断しておくと好都合である。また、不織布の代わりにポリエステル等の繊維の生地を用い、雑巾刺しで縫い合わせてあるものを使用しても差し支えなく、後者の場合、生地面に予め粘着剤を軽く塗布しておいて遠赤外線発生源の粉末を散布したほうが作業しやすい。
【０００９】
取付け面に剥離紙を使用の場合は、使用者が自己の手袋の内面の所定個所に剥離紙を外してから貼付すれば容易に使用できる状態になる。
【産業上の利用可能性】
【００１０】
本考案のスポーツ用手袋に使用される遠赤外線発生源の粉末を内蔵した柔軟シート状部材はゴルフや野球以外のスポーツ用の手袋にも適用できるので利用範囲の拡大が望める。
【図面の簡単な説明】
【００１１】
【図１】スポーツ用手袋の掌（てのひら）内面の中央部に遠赤外線発生源の粉末を用いた不織布による柔軟シート状部材を貼り付けてある状態を示す説明図
【図２】遠赤外線発生源の粉末を分散挟持した不織布による柔軟シート状部材の構造説明図
【符号の説明】
【００１２】
１  スポーツ用手袋
２  遠赤外線発生源材粉末を内蔵した柔軟シート状部材
３  遠赤外線発生源の粉末
４  実施例による柔軟シート状部材用の不織布
【図１】
0003110593.tif 000003
【図２】
0003110593.tif 000004
【手続補正書】
【提出日】平成17年2月7日(2005.2.7)
【手続補正１】
【補正対象書類名】実用新案登録請求の範囲
【補正対象項目名】請求項１
【補正方法】変更
【補正の内容】
【請求項１】
スポーツ用手袋の掌（てのひら）の内面の少なくとも中央部に貼り付けて使用する遠赤外線発生源の粉末を内蔵した遠赤外線発生用柔軟シート状部材。
【手続補正２】
【補正対象書類名】明細書
【補正対象項目名】００１２
【補正方法】変更
【補正の内容】
【００１２】
１  スポーツ用手袋
２  遠赤外線発生源の粉末を内蔵した柔軟シート状部材
３  遠赤外線発生源の粉末
４  実施例による柔軟シート状部材用の不織布
(57)【要約】【課題】  この考案は柱状のスポンジの中に円柱状の穴を設け中空にした洗浄用スポンジに関するものである。【解決手段】  円柱状スポンジ▲１▼に円柱状の穴▲２▼を設け、この穴▲２▼に手の指を挿入する。【選択図】  図２
0003110598.tif 000002
【実用新案登録請求の範囲】
【請求項１】
柱状スポンジの中に円柱状の穴を設け、中空にした洗浄用スポンジ。
【考案の詳細な説明】
【考案の詳細な説明】
（イ）この考案は、柱状スポンジに手の指を入れる為の穴を設け；中空にした洗浄用スポンジである。
（ロ）従来の食器洗い用のスポンジは、手に持って使用するか手にはめ
て使用するものが多いので、両手が自由に使えない不便さがあった。
（ハ）本考案は、手の指にスポンジを挿入して使用する為、従来の欠点をおぎなうとともに、スポンジの長さを変えることによりコップなどの底の深いものを洗うときに特に便利である。
（ニ）なお、このスポンジは一度に数本を使用しても、手指が自由に使える利点がある。
【図面の簡単な説明】
【図１】本案の斜視図
【図２】本案の装着図
【符号の説明】
▲１▼はスポンジ本体、
▲２▼は穴
【図１】
0003110598.tif 000003
【図２】
0003110598.tif 000004
(57)【要約】【課題】本考案はキーパンチャーが、その入力作業を行うに当って、手指の爪を長く伸ばしていても、又その表面にマニキュアやペティキュアを施していても、キーボード入力が可能に成る。【解決手段】本考案は指３の爪４根本付近に補助具２を装着し突起１を利用してキーボード５の入力用キーをパンチングして入力作業を行う事でキーパンチャーの手の爪先に掛かる負担を解消する。【選択図】図４
0003110596.tif 000002
【実用新案登録請求の範囲】
【請求項１】
指輪形の一部分に突起部を装着したパソコン用キーボード入力補助具
【考案の詳細な説明】
【技術分野】
【０００１】本考案は指輪の外側部分にキーパンチ用の突起を装着する事で手指の爪を伸ばした状態でもキーパンチャーがパソコン等のキーボード操作を可能にするキーパンチ補助具である
【背景技術】
【０００２】従来キーパンチャーはキーボードを使用した作業の邪魔に成る為、手指の爪を伸ばしたりマニキュアやペティキュアを楽しむ事は不可能だった。
【考案の開示】
【考案が解決しようとする課題】
【０００３】パソコン等のキーボード入力作業は一般的に指先部分を使用して作業する。
その場合爪先が指先より先端に来る状態だと既存のキーボードの形状から言って打とうとするキーの前後左右のキーが爪先に当たり邪魔なため、目的とするキーを打てない。本考案は爪先が長い場合でも指先に専用の補助器具を装着して作業をする事で爪先が長いままでもキーパンチ作業が容易に実行できる事を目的とした物である。
【問題を解決する為の手段】
【０００４】本考案は、弾力を有した半円環状の装着部本体と本体外周中央部に接着された突起部分で構成される。
使用に際しては、円環状の欠けた部分を上に突起部分を下にして、指先に指輪のように装着して使用する。
【０００５】この補助具を使用する場合はキーパンチャーが一般的なパソコンやワープロのキーボード等を使用して文書等のデータ入力作業を行う際に指先に装着して使用する。
装着部本体は本来指輪を模している為、その形状は円環状を呈していなくてはならないが、着脱時に爪表面に施されたマニキュアやペティキュアの表面装飾を傷つけない為に着脱と装着使用時に爪の位置に当る部分は円環の一部が欠けて隙間に成っている。
以上の様な形状でも着脱が容易で且つ使用時に本体がズレたり外れたりしないように本体を構成する材質は適度な弾力性と粘着性を有した素材を使用する。
本体装着使用時、円環下部外周に当る部分にはキーパンチの為の突起が設けられている。
【考案の効果】
【０００６】従来キーパンチャー及びパソコンデータ入力等の業務は、手先のファッション性を重視して爪を長く伸ばしたり、又マニキュアやペティキュア等で爪自体に装飾が施されている場合は不向きな部類の業務だったが、本考案の補助具を装着使用する事により爪の長さや傷、汚れ等に留意する事無く業務が遂行できる。
【考案の実施するための最良の形態】
【０００７】補助具本体の隙間部分を上にして指輪を装着する要領で作業に使用する全ての指先に本考案の補助具を装着する。
本体下部の突起が使用するキーボードのキーを的確にパンチできる位置に調整して使用する。
【実施例】
【０００８】以下、添付図面に従って一実施例を説明する。１はキーボードをパンチする為の突起部分２は指輪形の補助具本体である。
３は補助具を装着使用する指、４はその指の爪、５は補助具を使用して作業する対象のキーボード。
本考案の補助具を使用する場合は、本体２に接着された突起１を下側にした状態で４の爪を避けながら３の指に装着する。そして５のキーボードのキーを１の突起でパンチングして入力作業を行う。
【図面の簡単な説明】
【０００９】
【図１】本考案の補助具の底面図である。
【図２】本考案の補助具の側面図である。
【図３】本考案の補助具の正面図である。
【図４】本考案の補助具の参考使用図、斜視図である。
【符号の説明】
【００１０】１  突起部
２  補助具本体
３  本考案を装着使用中の指
４  本考案を装着使用中の指の爪
５  本考案を使用して入力作業を行うキーボード
【図１】
0003110596.tif 000003
【図２】
0003110596.tif 000004
【図３】
0003110596.tif 000005
【図４】
0003110596.tif 000006
(57)【要約】【課題】書籍を本棚から取り出すときの取り出し難さと、その際に背表紙を傷めてしまうという不都合を従来のしおりにはない機能を兼ね備えたしおりによって解消すること。【解決手段】書籍に挟んだ時に背表紙にはめ込む為の溝２と、書籍を取り出し易くし、書籍を痛みから守る為に背表紙の外側に出るように指のかかるフック部分３と、を備えたしおりにより、この課題を解決する。【選択図】図１
0003110599.tif 000002
【実用新案登録請求の範囲】
【請求項１】
書籍に差し込んだ時に背表紙にはめ込む為の溝と、書籍を取り出し易くし、書籍を傷みから守る為に背表紙の外側に出るような指のかかるフックと、を備えたしおり。
【考案の詳細な説明】
【技術分野】
【０００１】本考案は、しおりに関するものであり、しおりを書籍にはさんだときに書籍から出る部分に工夫を加えることによって、本棚より書籍を傷めず、取り出し易くしたものである。
【背景技術】
【０００２】従来のしおりは、読みかけの書物にはさみ、しるしとしているものであった。
【考案の開示】
【考案が解決しようとする課題】
【０００３】しかし、これでは、いったん本棚に書籍を入れてしまうと次に本棚から書籍を取り出すまで、はさんだままの状態以外には役目を果たさなくなってしまい、不便である。
【課題を解決するための手段】
【０００４】そこで、書籍にはさんだ時に背表紙にはめ込む為の溝と、書籍を取り出し易くし、書籍を傷みから守る為に背表紙の外側に出るような指のかかるフックと、を備えたしおりを考案した（図１）。この考案により、本棚から取り出すときに、背表紙に指をかけて力を入れなくてもよいのである。
【考案の効果】
【０００５】よって、本考案のしおりにより、本棚から書籍を取り出すときに、指先に力を入れなくても容易に書籍を取り出すことができる。また、背表紙に指をかけて書籍を取り出さなくなるため、背表紙を傷めることもなくなる。また、書籍を取り出したときに、読みかけのページを示すことができる。
【考案を実施するための最良の形態】
【０００６】本考案に係るしおりは、図１の示すように、書籍にはさんだときに背表紙にはめ込む為の溝２を備えている。そして、図２のように書籍にはさんだときに背表紙の外側に指のかかるフック部分３が形成されている。このフック部分３に指をかければ本棚から容易に取り出せるようになる。素材は可燃性があり、薄くて張力のある紙材で形成することが望ましい。
【図面の簡単な説明】
【０００７】
【図１】本考案に係るしおりの正面図と、側面図である。
【図２】書籍に本考案のしおりをはさむときの図である。
【図３】書籍に本考案のしおりをはさんだときの図である。
【符号の説明】
【０００８】１          しおり部分
２          背表紙部分にはめ込む為の溝
３          フック部分
４          書籍
【図１】
0003110599.tif 000003
【図２】
0003110599.tif 000004
【図３】
0003110599.tif 000005
(57)【要約】      （修正有）【課題】「重し」の部分に発光ダイオードを設置し動作させることにより、夜中にスイッチを模索する必要をなくす。【解決手段】照明器具のひもの先に取り付けてある「つまみ」または「重し」の中に発光ダイオードを組み込んだ照明器具におけるスイッチの位置表示器。【選択図】なし【実用新案登録請求の範囲】
照明器具のひもの先に取り付けてある「つまみ」または「重し」の中に発光ダイオードを組み込んだもの
【考案の詳細な説明】
【考案の詳細な説明】
［考案の属する技術分野］
電気
［従来の技術］
従来はスイッチのひもにテンションを与えるため「重し」をつけていた。また、その改良型として「重し」に蛍光物質を塗布する等の工夫がなされていた。
［考案が解決しようとする課題］
蛍光物質は２〜３時間で急激に照度が落ち、実用性に難があった。
［課題を解決するための手段］
発光ダイオードを組み込むことにより、照度の件は一気に解決できる。
［考案の実施の形態］及び［実施例］
高所（天井等）に取り付け、またはぶら下げている照明灯からコードを垂らし、その先に発光ダイオードを接続し発光させるものである。
［考案の効果］
夜中にスイッチの位置を模索する必要がなくなる
【図面の簡単な説明】  上記「考案の実施の形態」と同じ
0003110554.tif 000002
【手続補正書】
【提出日】平成17年1月26日(2005.1.26)
【手続補正１】
【補正対象書類名】実用新案登録請求の範囲
【補正対象項目名】全文
【補正方法】変更
【補正の内容】
【実用新案登録請求の範囲】
【請求項１】
照明器具のひもの先に取り付けてある「つまみ」または「重し」の中に発光ダイオードを組み込んだ照明器具におけるスイッチの位置表示器。
【手続補正２】
【補正対象書類名】明細書
【補正対象項目名】全文
【補正方法】変更
【補正の内容】
【考案の詳細な説明】
【技術分野】
【０００１】  本考案は、照明器具のスイッチの位置表示に関するものである。
【背景技術】
【０００２】  従来は、スイッチのひもにテンションを与えるため「重し」をつけていた。
また、その改良型として「重し」に蛍光物質を塗布する等の工夫をしたものも散見された。
【考案の開示】
【考案が解決しようとする課題】
【０００３】  蛍光物質は、２〜３時間で急激に照度が落ち実用性に難があった。
【課題を解決するための手段】
【０００４】  「重し」の部分に発光ダイオードを設置し動作させることにより照度の件は一気に解決できる。
【考案の効果】
【０００５】  スイッチの位置を発光ダイオードが常に表示するため、夜中にスイッチを模索する必要がなくなる。
【考案を実施するための最良の形態】
【０００６】  高所（天井等）に取り付け、または、ぶら下げている照明器具から電気コードを垂らし、そのコードから当該発光ダイオードの規格に相当する電圧等を供給し発光ダイオードを点灯させるものである。
【実施側】
【０００７】  以下、添付図面に従って実施例を説明する。１は当該照明器具を取り付けるための天井、２は指定の場所に本体を取り付けるための金具、３は照明器具に電気を供給するための電気コード、４は発光体（電球、蛍光灯、光ダイオード等）を点灯させるための電気装置とスイッチ、５は４と６を安定的に固定させるための本体、６は発光体、７は９に電源を供給するための電気コード、８はつまみ又は重し、９は発光ダイオード。
【図面の簡単な説明】
【０００８】
【図１】  高所からつり下げられた蛍光灯一式を横から見た図面である。３から外部電源を供給され必要に応じ４で電圧、周波数等を変換する。尚、４の中にはスイッチも組み込まれており、８を引っ張ることにより操作する。一例をあげればスイッチの動作を３段階とし、「０」の位置で６も９も消灯、「１」で９のみ点灯、「２」で６と９を点灯させるという具合である。
【符号の説明】
【０００９】１．天井
２．取り付け金具
３．電気コード
４．電気装置とスイッチ
５．本体
６．発光体（本機の例は蛍光灯）
７．発光ダイオードを点灯させるための電気コード、ほかに４の中に組み込まれているスイッチを切ったり入れたりする操作も行う。
８．つまみ又は重し
９．発光ダイオード
【手続補正３】
【補正対象書類名】図面
【補正対象項目名】全図
【補正方法】変更
【補正の内容】
【図１】
0003110554.tif 000003
(57)【要約】      （修正有）【課題】趣味の変わった貴金属宝飾具を提供する。【解決手段】ペンダント、等の宝飾具に備えた平面体の少なくとも一部に、所望の指紋を彫刻、または転写した事を特徴とする貴金属宝飾具である。【選択図】なし【実用新案登録請求の範囲】
【請求項１】
指紋を拡大したものを紋様と位置づけ、所望の紋様を貴金属宝飾具の一部、または平面部に彫刻する事を特徴とする貴金属宝飾具。
【請求項２】
所望の指紋と云う紋様は、個人或いは、有名人であり、個人または有名人の注文により作製する。そのことを特徴とする貴金属宝飾具。
【考案の詳細な説明】
【技術分野】
【０００１】  指紋と云う紋様は、彫刻処理、或いは腐食処理、電極処理等を利用して、形成することができる。
【背景技術】
【０００２】  本考案は宝飾具に指紋という紋様を入れる事により自己の同一性を語り、アイデンティティーの表現につながった。
【考案が解決しようとする課題】
【０００３】  他人と本人の識別が指紋と云う紋様を入れる事により、可能になった。また、実用性とファッション性を兼備する装飾品である。
【課題を解決するための手段】
【０００４】  本考案は上記の問題を決すべく研究を重ねた結果、ペンダントヘッド、タグ等の宝飾具に備えた平面部、少なくとも一部に指紋と云う紋様を彫刻または、転写する事を特徴とする貴金属宝飾具を提供する。そしてその所望の指紋と云う紋様は、或いは有名人の指紋という紋様であり、有名人の場合には、その方本人の需要数だけ作成されるがよいであろう。
【０００５】  本考案の貴金属宝飾具は宝飾具に装飾性を与えるものである。本願考案の貴金属宝飾具では、デザインが一新され、個性を求めるユーザーの要望にかなうことができる。
【考案実施の形態】
【０００６】  本願考案の貴金属宝飾具は、実用性とファッション性を兼ね備えたものである。
【実施例１】
【０００７】  図１の斜視図は、本考案の貴金属宝飾具をペンダント１にした例を示す。即ち、鎖に結合する結合具２を有する貴金属プレート３の表面に指紋と云う紋様を彫刻したものである。【０００８】  個人の指紋の場合には、注文者の親指等から取った指紋を、コピーし、注文者の好みにより、指紋の中心を拡大しそれを紋様として位置づけ、それをペンダント等にコピーし彫刻等の処理をする。また、有名人の指紋の場合には、その許可された指紋のプリントから、鋳型を作り、注文に応じて製作することが出来る。
【考案の効果】
【０００９】  本考案の貴金属宝飾具は、図示のような構成により、次のごとき技術的効果があった。第一に、貴金属宝飾具に、デザインのアクセントを与え、魅力的なものにすることができる。
【００１０】  第２に、指紋を他に使用する場合にも便利である。また、指紋が付いているので、他人との区別が容易である。デザイン的にも自由度が広がり、すぐれたデザインの貴金属宝飾具の出現を可能にした。
【図面の簡単な説明】
【図１】本考案の指紋入り貴金属宝飾具を示す斜視図である。
【符号の説明】
１    宝飾具
２    吊り具
３    平面体
４    指紋と云う紋様
【図１】
0003110552.tif 000002
【手続補正書】
【提出日】平成16年11月26日(2004.11.26)
【手続補正１】
【補正対象書類名】実用新案登録請求の範囲
【補正対象項目名】請求項１
【補正方法】変更
【補正の内容】
【請求項１】
指紋を拡大した紋様を貴金属宝飾具の一部、または平面部に彫刻する事を特徴とする貴金属宝飾具。
【手続補正２】
【補正対象書類名】実用新案登録請求の範囲
【補正対象項目名】請求項２
【補正方法】変更
【補正の内容】
【請求項２】
指紋が、個人または有名人のものである請求項１記載の貴金属宝飾具。
(57)【要約】      （修正有）【課題】シートレール本体に脱着機構を設け、容易に脱着できる事で車両の後部座席スペースへの乗り降りや荷物等の積み下ろしに際し負担を軽減し、盗難防止にも役立つ。【解決手段】レール本体１の左右に前部キャッチ３及び後部キャッチ４を設け、あらかじめシート本体側に取り付けておいた固着具５と６をはめ込む事で、シート本体を特別な工具を用いる事なく４ヶ所で固定できる。また、逆の手順で各キャッチの結合を解く事でレール本体１からシート本体２を分離できる。【選択図】図１
0003110559.tif 000002
【実用新案登録請求の範囲】
【請求項１】
シートレール本体に脱着機構付き固着具を設け、脱着自在としたところを特徴とする脱着機構付きシートレール。
【考案の詳細な説明】
【技術分野】
【０００１】  本考案は、自動車用シートを固定するレールに脱着機構を持たせた、シートレールに関するものである。
【背景技術】
【０００２】  ２ドアクーペ形状の車両に固定式シート（フルバケットシート）を取り付けた場合、後部座席への人の乗り降りや、荷物等の積み下ろしは非常に困難であった。
【考案の開示】
【考案が解決しようとする課題】
【０００３】  従来のシートレールの場合、前後にスライドするだけで後席部への荷物等の積み下ろしは時間的、労働的負担である。したがってシート自体を取り外せる事により開口部が大きくなり、前述の欠点を解消しようとするものである。
【課題を解決するための手段】
【０００４】  本考案は、シートレール本体にロック機構を持たせ、シート側には簡単な金具を取り付ける事で、工具を用いる事なくシート本体をシートレールより短時間で脱着可能とし、問題点を解決している。
【考案の効果】
【０００５】  上述の様に、本考案の脱着機構付シートレールはシートの前後の調整は勿論、レール部にシートの脱着機構を持たせたもので、後部スペースへの荷物の出し入れや人の乗り降りの際に時間的、労働的負担を軽減し、尚且つシート本体を取り外しておく事で車両の盗難の抑制にも効果を発揮するものである。
【考案を実施するための最良の形態】
【０００６】  シート本体の取り外しは、レール側に取り付けられた４個の側面固定金具の内、ロック機構を持たせた前方２個の金具のロックを解除する事で行われる。また、取り付けは逆の手順で行われる。
【実施例】
【０００７】  以下、添付図面に従って一実施例を説明する。１はスライド機構を備えたスチール等適宜素材にて形成されたシートレール本体、３はあらかじめシート本体に取り付けられた５を固定する為のロック機構を備えたフロントキャッチ部、４は５と同じようにシート本体に取り付けられた６を固定するリアキャッチ部で、まず４に６をはめ込み、その後３に５を上方より落とし込むことで３のロック機構が働き、シートが固定される。【０００８】  本考案の一実施例は上述の如き構成からなるものであるから、シートレール本体１を前後スライド調整機能付きシート固定レールとしてもちいる事は勿論であるが、３のロック機構部のリリースレバーによりロックを解除して、５と６の取り付けられたシート本体を上方へ引き上げることで３と５、４と６の係合を解き、分離できる。
【図面の簡単な説明】
【０００９】
【図１】  本考案の実施例を示す側面図である。
【図２】  本考案の側面図である。
【図３】  前部及び、後部シート側固着具を取り付けたシート側面図である。
【符号の説明】
【００１０】    １．  レール本体
２．  シート本体
３．  前部キャッチ
４．  後部キャッチ
５．  シート側前部固着具
６．  シート側後部固着具
７．  車体固着具
８．  スライド調整レバー
９．  スライド固定ステー
１０．リターンスプリング
【図１】
0003110559.tif 000003
【図２】
0003110559.tif 000004
【図３】
0003110559.tif 000005
【手続補正書】
【提出日】平成17年1月20日(2005.1.20)
【手続補正１】
【補正対象書類名】実用新案登録請求の範囲
【補正対象項目名】全文
【補正方法】変更
【補正の内容】
【実用新案登録請求の範囲】
【請求項１】
脱着機構を持たせた、シートを固定するための固着具をシートレール本体に設け、シートレールからシートを脱着自在としたところを特徴とする脱着機構付きシートレール
(57)【要約】      （修正有）【課題】揚げ物調理の際の油はねに依る火傷、あるいは台所周辺の汚染を防止する。【解決手段】押え金具１と金枠本体２によって構成された取手付き蓋状器具は、押え金具と金枠本体の間に天ぷら紙を装着する事ができる。これで鍋を覆うことにより、油の飛散を防止する。【選択図】図１
0003110558.tif 000002
【実用新案登録請求の範囲】
【請求項１】
揚げ物調理中の油の飛散を防止する為、揚げ物鍋を覆うことのできる取っ手付きの蓋状器具。
【考案の詳細な説明】
【考案の詳細な説明】
【考案が解決しようとする課題】
【０００１】揚げ物等を調理する際、油はね及び細かい油を含んだ水蒸気の飛散により火傷を負う、あるいは台所周辺を汚してしまうという問題点があった。
【課題を解決するための手段】
【０００２】揚げ物鍋の中から熱い油の粒や油を含んだ水蒸気が出てこないように、上部に天ぷら紙やキッチンペーパーを装着できる蓋状器具で覆う。
【考案を実施するための最良の形態】
【０００３】（イ）押え金具▲１▼と金枠本体▲２▼とをＡ点でピン▲３▼にて止める。
（ロ）押え金具▲１▼は金枠本体▲２▼より、円径が若干ミリ大きいため紙を挟んで固定出来る。
（ハ）押え金具▲１▼のＢ点を指で押すことによって、押え金具は上に跳ね上がるので紙が挟み易くなる。
【考案の効果】
【０００４】押え金具で固定された天ぷら紙等で鍋を覆うため、熱せられた油は鍋から飛び散ることがない。また紙は水蒸気だけを外に排出し、油の飛散を防止する事が出来る上、紙に付着する油の量の減少を見ることによって、ある程度、揚げ物の進行度合いを推し量ることが出来る。
尚、ＩＨ調理器具専用とするため、紙への炎の引火等の恐れもない。
【図面の簡単な説明】
【図１】本考案の使用状況を示す図である。
【図２】押え金具▲１▼と金枠本体▲２▼をピン▲３▼にて合体させた平面図である。
【図３】押え金具▲１▼の平面図である。
【図４】押え金具▲１▼の側面図である。
【図５】金枠本体▲２▼の平面図である。
【図６】金枠本体▲２▼の側面図である。
【符号の説明】
１  押え金具
２  金枠本体
３  ピン
４  天ぷら紙
【図１】
0003110558.tif 000003
【図２】
0003110558.tif 000004
【図３】
0003110558.tif 000005
【図４】
0003110558.tif 000006
【図５】
0003110558.tif 000007
【図６】
0003110558.tif 000008
【手続補正書】
【提出日】平成17年2月10日(2005.2.10)
【手続補正２】
【補正対象書類名】実用新案登録請求の範囲
【補正対象項目名】全文
【補正方法】変更
【補正の内容】
【実用新案登録請求の範囲】
【請求項１】
揚げ物調理中の油の飛散を防止する為、下部が鍔状に形成された取手付リング状金枠のリング部外周に、リング状金枠の外周より１〜２ｍｍ大きい円で尚且つリング状金枠の取手の側面が丁度嵌る寸法に一部分円を切り欠きＵ字状に腕を伸ばした形の押え金具を副わせ、押え金具のＵ字状の部分と取手付リング状金枠の取手部分の一点をピンにて留め、二つの金枠が自在に開閉出来るようにし、取手付きリング状金枠と押え金枠の間にキッチンペーパーを装着した後二つの金枠を合わせ閉じることで、キッチンペーパーを固定することにより、揚げ物鍋を覆うことの出来る取手付きの蓋状器具。
(57)【要約】      （修正有）【課題】ほこり、煙草のやに、虫の糞で汚れないような曼荼羅を提供する。【解決手段】曼荼羅１を２枚の透明プラスチック２，３で挟み合わせて、金具で止め曼荼羅に密着させる。【選択図】図２
0003110556.tif 000002
【実用新案登録請求の範囲】
【請求項１】
曼荼羅１の表面と裏面を透明プラスチックカバー２と透明プラスチックカバー３で挟み合わせ、密着したところを金具４で固定した保護カバー。
【考案の詳細な説明】
【考案の詳細な説明】
【考案が解決しようとする課題】
【０００１】従来、仏壇の曼荼羅は露出しているため、ほこりや煙草のやに、虫の糞で汚れてしまう問題点を有していた。
【課題を解決するための手段】
【０００２】上記目的を達成するために、曼荼羅の表面と裏面を透明プラスチックで挟み密着することで、ほこり、煙草のやに、虫が入り込まないようにした。
【考案の効果】
【０００３】プラスチックを透明にしたことで曼荼羅の姿は確認でき、曼荼羅にカバーが密着しているので、外部からの異物が入らない。
【図面の簡単な説明】
【図１】中心の曼荼羅と両サイドの透明プラスチックカバーを横から見た図である
【図２】図１の斜視図である
【図３】曼荼羅を挟んで、カバーの組立てを完了した斜視図である
【符号の説明】
１    曼荼羅
２    透明プラスチックカバー
３    透明プラスチックカバー
４    金具
【図１】
0003110556.tif 000003
【図２】
0003110556.tif 000004
【図３】
0003110556.tif 000005
(57)【要約】      （修正有）【解決手段】Ｆ型同軸ケーブル用防水コネクターのスリーブの形状を約２／３をストレート９にし、フランジまでの約１／３に角度８をつけ、ストレートの部分は入りやすくなり、テーパーの部分が約１／３のため無理なく押し込むことができる、同軸ケーブルが入ったテーパーの部分を締付金具の内部角度３で押さえ、同軸ケーブル１が抜けるのを防止する。【効果】同軸ケーブルを差し込むテーパーの角度のある部分１／３とストレートの部分の２／３により締付金具が有効に作用して同軸ケーブルとコネクターは確実に固定されて、締付金具の内部にあるプラスチック部品はいらなくなり、入れ忘れもなくコストダウンにつながる。外皮が硬いポリエチレンでも作業がやりやすくなり、コネクターと同軸ケーブルは確実に固定され、特別の取付工具は必要なくなる。【選択図】図１
0003110551.tif 000002
【実用新案登録請求の範囲】
【請求項１】
同軸ケーブルを差し込むスリーブの形状を約２／３をストレート９にし、フランジ側の約１／３に角度８をつけ、締付金具の内部角度３をこれに合わせた、同軸ケーブル用コネクターのスリーブと締付金具の改良
【考案の詳細な説明】
【考案の詳細な説明】
【技術分野】
【０００１】この考案は同軸ケーブル用コネクターにケーブルを差し込むスリーブの形状を改良し、同軸ケーブルがスリーブに入りやすくし、締付金具の内部テーパーで同軸ケーブル押さえ固定する同軸ケーブル用コネクターのスリーブと締付金具の改良である。
【背景技術】
【０００２】Ｆ型防水コネクターの同軸ケーブルが差し込まれるスリーブの形状はフランジまでストレート１９か、先端からフランジまで角度１８が付いているかどちらかである。
【考案の開示】
【考案が解決しようとする課題】
【０００３】Ｆ型防水コネクターはスリーブがストレート１９の場合、締付金具の内部にプラスチックのケーブル押さえが挿入されているがコストアップの要因であり、入れ忘れが生じ事故につながることもある。
最近、同軸ケーブルの外皮は塩化ビニールからポリエチレンの使用に変わってきていて、ポリエチレンは硬くスリーブに入りにくく、スリーブの形状は同軸ケーブルの入りやすいストレート１９が多くなっているが入りやすいと抜けやすくなってしまう。
スリーブの先端からフランジまで角度１８がある場合はポリエチレンが硬く広がりにくいため入りにくく、専用の工具をコネクターのメーカーが販売しているが作業効率が良くない。
【課題を解決するための手段】
【０００４】Ｆ型同軸ケーブル用防水コネクターのスリーブの形状を約２／３をストレート９にし、フランジまでの約１／３に角度８をつけ、ストレートの部分は入りやすくなり、テーパーの部分が約１／３のため無理なく押し込むことができる、同軸ケーブルが入ったテーパーの部分を締付金具の内部角度３で押さえ、同軸ケーブル１が抜けるのを防止でき、ポリエチレンの硬い外皮でも容易にスリーブに同軸ケーブルを入れられる。
【考案の効果】
【０００５】同軸ケーブルを差し込むテーパーの角度のある部分１／３とストレートの部分の２／３により締付金具が有効に作用して同軸ケーブルとコネクターは確実に固定されて、締付金具の内部にあるプラスチック部品は要らなくなり、入れ忘れも無くなりコストダウンにつながる。外皮が硬いポリエチレンでも作業がやり易くなり、コネクターと同軸ケーブルは確実に固定され、特別の取付工具は必要なくなる。
このスリーブの形状は他の方式のケーブル用コネクターにも応用することができる。
【考案を実施するための最良の形態】
【０００６】使用する同軸ケーブルの種類によりスリーブの角度、長さ、径とストレートの部分の径、長さを合わせ、締付金具の内部角度も同様にスリーブの角度、長さに合わせ同軸ケーブルをコネクターに固定させる。
【図面の簡単な説明】
【図１】施工図
【図２】中心線の上部はスリーブの断面図、下部は平面図
【図３】従来のスリーブ
【符号の説明】
１、同軸ケーブルの外皮  ２、同軸ケーブルの絶縁体  ３、締付金具の内部角度  ４、接続ナット  ５、シェル  ６、中心コンタクト  ７、フェルール  ８、スリーブの角度部分  ９、スリーブのストレート部分  １０、締付金具  １１、締付金具の内部ネジヤマ  １２、フェルールの中心線  １３、中心コンタクト  １４、絶縁体の断面図  １５、フェルールの断面図  １６、スリット  １７、フランジ  １８、スリーブＡ  １９、スリーブＢ
【図１】
0003110551.tif 000003
【図２】
0003110551.tif 000004
【図３】
0003110551.tif 000005
【手続補正書】
【提出日】平成17年1月12日(2005.1.12)
【手続補正１】
【補正対象書類名】実用新案登録請求の範囲
【補正対象項目名】全文
【補正方法】変更
【補正の内容】
【実用新案登録請求の範囲】
【請求項１】
同軸ケーブルを差し込むスリーブの形状を約２／３をストレートにし、フランジ側の約１／３に角度をつけ、締付金具内部をこの角度に合わせ、スリーブと締付金具が改良された、同軸ケーブル用コネクター
(57)【要約】      （修正有）【課題】田畑、果実園等の農作物や播いた種子等を食害する有害鳥獣類に刺激を与え、接近進入の防止を目的とする有害鳥獣類の駆除器を提供する。【解決手段】円形軽金属材１を吊り下げ回転揺動自在するようにし、軽金属材片面に色を塗布し、自然風力により軽金属材は回転揺動自在することにより接触音出し、また主柱パイプ７と接触し打撃音を発す、且つ反射光と色の変化に有害鳥獣類を刺激、威嚇することにより有害鳥獣類の接近進入を防止する。【選択図】図１
0003110547.tif 000002
【実用新案登録請求の範囲】
【請求項１】
円形軽金属材を吊り下げ風力によって回転揺動自在することにより本体の打撃音響且つ、反射光と色の変化を特徴とする有害鳥獣駆除器。
【考案の詳細な説明】
【技術分野】
【０００１】本考案は、田畑果樹園等の農作物や播いた種子等を食害する有害鳥獣類の駆除に関するものである。
【背景技術】
【０００２】従来田畑果樹園などで電気柵、鹿猪柵等を設立したり、巨大な目玉状の風船を随所に配置している。
【考案の開示】
【考案が解決しようとする課題】
【０００３】前述のように電気柵鹿猪柵等の設置による経済的負担も大きく労働的負担である、また害鳥類の駆除効果はない、従って前述の欠点を解決しようとするものである。
【課題を解決するための手段】
【０００４】本考案は円形軽金属材を吊り下げ回転揺動自在するようにし軽金属材片面に色を塗付、自然風力により軽金属材は回転揺動自在することにより接触音出し、また主柱パイプと接触し打撃音を発す、且つ反射光と色の変化に有害鳥獣類を刺激、威嚇することにより問題点を解決する。
【考案の効果】
【０００５】上述の様に反射光と色の変化、且つ打撃音響による有害鳥獣類の耳目に刺激を与え威嚇することにより有害鳥獣類の接近進入を防止することにより有害鳥獣類の駆除に役立つ。
【考案を実施するため最良の形態】
【０００６】軽金属材を円盤形成本体中央部に通気孔を設けた。また軽金属本体と本体吊り棒の接続部に自在回転金具と接続金具リングを設けることにより軽金属本体は自在回転するようになる。また、本体吊り角度を変えることにより吊り下げた軽金属材は接触し音を発することになる、且つ、軽金属材は自然風力により主柱パイプを打撃することになる。
【０００７】通気孔の目的は、本体の円滑な動き接触時の打撃音響効果塗装面より見ると目玉のように見えることもある。
【０００８】本体軽金属の接触時発する軽金属音響と、主柱パイプに本体が打撃時発する金属音響の２種類の音響効果がある。
【０００９】上述の様に本体軽金属組を左右に吊り下げ、自然風力により打撃音響効果が増すことになる。
【実施例】
【００１０】以下添付図面に従って一実施例を説明する。１と１ａは軽金属材を円盤型に形成し６を設けた上部より５−２−３と接続することにより２−３は自在になりまた、４−２ａ−４−１の順に上部より接続することにより２ａより下部は自在となり、従って上述の様に５−２−３組に４−２ａ−４−１組の３と４上部を接続することにより５より下部組は自在回転することになる、前述の組を８に接続することにより、１と１ａは７を打撃することになる。
【図面の簡単な説明】
【００１１】
【図１】本考案の有害鳥獣駆除器の−実施例を示す正面図である。
【符号説明】
１    本体軽金属表面処理片面塗装
１ａ  本体軽金属表面処理片面塗装
２    自在回転用金具
２ａ  自在回転用金具
３    本体吊り棒
４    接続金具リング形
５    吊り下げ金具リング形
６    通気孔
７    主柱パイプ
８    本体吊り下げ棒
【図１】
0003110547.tif 000003
【手続補正書】
【提出日】平成16年12月2日(2004.12.2)
【手続補正１】
【補正対象書類名】実用新案登録請求の範囲
【補正対象項目名】全文
【補正方法】変更
【補正の内容】
【実用新案登録請求の範囲】
【請求項１】
軽金属本体と本体吊り天秤棒との連結部に自在回転用縒り戻し金具を設け、本体吊り下げ棒と本体吊り天秤棒との連結部に自在回転用縒り戻し金具を設け、本体吊り下げ棒に吊り下げた軽金属材と吊り金具天秤棒は自然風力によって回転揺動自在することにより、本体の打撃音響且つ反射光と色の変化を特徴とする有害鳥獣駆除器。
【手続補正２】
【補正対象書類名】明細書
【補正対象項目名】全文
【補正方法】変更
【補正の内容】
【考案の詳細な説明】
【技術分野】
【０００１】本考案は、田畑果樹園等の農作物や播いた種子等を食害する有害鳥獣類の駆除に関するものである。
【背景技術】
【０００２】従来田畑果樹園などで電気柵、鹿猪棚等を設立したり、巨大な目玉状の風船を随所に配置している。
【考案の開示】
【考案が解決しようとする課題】
【０００３】前途のように電気柵鹿獣柵等の設置による経済適負担も大きく労働的負担である。また害鳥類の駆除効果はない、従って前途の欠点を解決しようとするものである。
【課題を解決するための手段】
【０００４】本考案は円形軽金属材を吊り下げ回転揺動自在するようにし軽金属材片面にを塗付、自然風力により軽金属材は回転揺動自在することにより接触音を出し、また主柱パイプと接触し打撃音を発す、且つ反射光と色の変化に有害鳥獣類を刺激、威嚇することにより問題点を解決する。
【考案の効果】
【０００５】上述の様に反射光と色の変化、且つ打撃音響による有害鳥獣類の耳目に刺激を与え威嚇することにより有害鳥獣類の接近進入を防止することにより有害鳥獣類の駆除に役立つ。
【考案を実施するため最良の形態】
【０００６】軽金属材を円盤形成本体中央部に通気孔を設けた。また軽金属本体と本体吊り棒の接続部に自在回転用縒り戻し金具と接続金具リングを設けることにより軽金属本体は自在回転するようになる。また、本体吊り角度を変えることにより吊り下げた軽金属材は接触し音を発することになる、且つ、軽金属材は自然風力により主柱パイプを打撃することになる。
【０００７】通気孔の目的は、本体の円滑な動き接触時の打撃音響効果、塗装面より見ると目玉のように見えることもある。
【０００８】本体軽金属の接触時発する軽金属音響と、主柱パイプに本体が打撃時発する金属音響の２種類の音響効果がある。
【０００９】上述の様に本体軽金属組を左右に吊り下げ、自然風力により打撃音響効果が増すことになる。
【実施例】
【００１０】以下添付図面に従って一実施例を説明する。１と１ａは軽金属材を円盤型に形成し６を設けた上部より５−２−３と接続することにより２−３は自在になりまた、４−２ａ−４−１の順に上部より接続することにより２ａより下部は自在となり、従って上述の様に５−２−３組に４−２ａ−４−１組の３と４上部を接続することにより５より下部組は自在回転することになる、前述の組を８に接続することにより、１と１ａは７を打撃することになる。
【図面の簡単な説明】
【００１１】
【図１】本考案の有害鳥獣駆除器の一実施例を示す正面図である。
【符号説明】
【００１２】１    本体軽金属表面処理片面塗装
１ａ  本体軽金属表面処理片面塗装
２    自在回転用縒り戻し金具
２ａ  自在回転用縒り戻し金具
４    接続金具リング形
５    吊り下げ金具リング形
６    通気孔
７    主柱パイプ
８    本体吊り下げ棒
(57)【要約】      （修正有）【課題】カッター孔をあけた平皿網に、きんちゃく袋型の網を取り付けて、一度捕獲した魚を逃げにくくするとともに、平皿網の上部に、魚のえさをこぼれやすくしたえさかごを取付けて魚を集め、その魚をすくい上げるためのきんちゃく袋型魚すくい上げ網を提供する。【解決手段】平皿網７の中心部分にカッター孔９をあけてその下に、おもり６のついたきんちゃく袋型網５をぬい付けるなどし、平皿網７の針金等の外枠４の部分に十字に吊り上げひも３をとりつけて、それを引き上げるために一本にまとめた引き上げ用のひも１の真下に、魚のえさかご２を取り付ける構造。【選択図】図１  
0003110544.tif 000002
【実用新案登録請求の範囲】
【請求項４】
【請求項１】
針金等で枠取りをした平皿網の中心部分にカッター孔をあける。
【請求項２】
請求項１のカッター孔の下にきんちゃく袋型網の口が平皿網のカッター孔を下から完全におおうように、おもり付のきんちゃく袋型網を取り付けた網。
【請求項３】
請求項２の網の平皿網の針金等の外枠に四方八方に十字にひもをかけて吊り上げれるようにした。
【請求項４】
請求項３の吊り上げれるようにしてまとめた網引き上げ用ひもの真下に網をゆらせばえさがこぼれ落ちるようにした魚のえさかごを平皿きんちゃく袋型魚すくい上げ網の真上に吊り下げた構造もの。
【考案の詳細な説明】
【考案の開示】
【考案が解決しようとする課題】
【０００１】浅い所の魚や深い所の魚をとるとき、従来のたも網による魚すくいや、魚釣りは、一度網にはいった魚や一度釣った魚がよく引上げる際に、網から逃げたり、釣り針からはずて逃げたりする問題があった。
【課題を解決するための手段】
【０００２】えさかご付の平皿きんちゃく袋型魚すくい上げ網の、平皿網部分にカッターナイフで細くあけた孔から一度網にはいった魚は二度と逃げられないよに、平皿網がフタの役割をはたすような構造とし、一度きんちゃく袋網にはいった魚は網からでられないため、引上げひもを長くたらしたり、短かくたらしたりすることにより、深い所の魚でも、浅い所の魚でも自由にすくい取れようにした。又、平皿網の上に取り付けたえさかごをゆらすことにより、平皿網の上に落ちたえさを求めて集まった魚を、網を一挙に引上げることで、集まった魚を、平皿網の孔に逃げ込ませて、きんちゃく袋型網の中に追い込み逃げられない状態となった魚を、自由にすくい上げれるような構造にした、えさかご付の平皿きんちゃく袋型魚すくい上げ網です。
【考案の効果】
【０００３】一度網にはいった魚は、平皿網がフタの役割をはたすため、魚は出口のないきんちゃく袋型の網の中で右往左往するだけで逃げられないため、引上げ用ひもをゆっくりと引上げることで、引上げひもを長くしたり、短くしたりすることにより、深い所の魚も浅い所の魚も、自由にすくい上げることが出来、又、ゆすればえさが平皿網の上に落ちる構造としているため、えさを求めて集まった魚を自由にすくい上げることができる。
【実施例】
【０００４】このえさかご付の平皿きんちゃく袋型魚すくい上げ網の平皿網の上と、えさかごの中に、すくいたい魚の好みのえさをいれて、水の中に網を下ろして行き、魚のいる深さに到達した所で、網ををゆらせて、えさかごからえさをこぼれ落としてから、少し時間をおいて、魚が網の上付近に集まってきたところを見計らい、一挙に網をすくい上げることにより、おどろいた魚が、平皿網の中心部分に細くあけたカッター孔に逃げ込み、きんちゃく袋型網の中に追い込まれて網から逃げられなくなったところを上に引き上げる。
【図面の簡単な説明】
【０００５】
【図面１】
本考案の斜視図である。
【図面２】
本考案の平面図である。
【符号の説明】
【０００６】    １引き上げ用のひも
２えさかご
３吊り上げひも
４針金等の外枠
５きんちゃく袋型網
６おもり
７平皿網
８きんちゃく袋型網取り付け部分
９カッター孔
【図１】
0003110544.tif 000003
【図２】
0003110544.tif 000004
【手続補正書】
【提出日】平成16年10月13日(2004.10.13)
【手続補正１】
【補正対象書類名】実用新案登録請求の範囲
【補正対象項目名】全文
【補正方法】変更
【補正の内容】
【実用新案登録請求の範囲】
【請求項１】
針金等で枠取りした平皿網の中心部分にカッターなどによるカッター孔をあけた、えさかご付平皿きんちゃく袋型魚すくい上げ網。
【請求項２】
請求項１のカッター孔にきんちゃく袋型魚すくい上げ網の口が平皿網のカッター孔を下から完全におおうように、おもり付のきんちゃく袋型魚すくい上げ網を取り付けた、えさかご付平皿きんちゃく袋型魚すくい上げ網。
【請求項３】
請求項２の網の平皿網の針金等の外枠に四方八方に十字にひもをかけて吊り上げれるようにした、えさかご付平皿きんちゃく袋型魚すくい上げ網。
【請求項４】
請求項３の吊り上げれるようにして、まとめた網引き上げ用ひもの下部に網をゆらせばえさがこぼれ落ちるようにした魚のえさかごを平皿きんちゃく袋型魚すくい上げ網の上部に吊り下げた構造のえさかご付平皿きんちゃく袋型魚すくい上げ網。
(57)【要約】【課題】従来の駐車灯及び停車灯の場合、点灯スイッチの操作忘れなどによる不点灯、また、電力消耗によるバッテリー上がりを防ぎたい目的から故意にスイッチを操作しない場合が懸念された。それにより、トンネルや夜間等視認性の悪い場所での衝突事故の要因となる恐れが大きい。【解決手段】車両がエンジン停止など駐車又は停車状態になったことを自動検出し、駐車灯または停車灯またはそれに代わる増設した発光部分が発光状態となるため、点灯スイッチ操作が不要となる。電源供給は既存の蓄電部分を使用することなく、既存の電力発生・蓄電・供給装置と連携された、増設した蓄電部からのものである。【選択図】図１
0003110550.tif 000002
【実用新案登録請求の範囲】
【請求項１】
車両が駐車又は停車する場合の、点灯又は点滅式による灯火であって、エンジン停止など駐車又は停車状態になったことを自動検出し発光状態となる装置。その電源供給は既存の蓄電部分を使用することなく、電力発生・蓄電・供給装置と連携された、増設した蓄電部からの電源供給による。
【考案の詳細な説明】
【技術分野】
【０００１】本考案は、車両が駐車又は停車する場合における視認性を向上させるための灯火装置である。
【背景技術】
【０００２】従来の車両における駐車灯及び停車灯は、その電源供給をエンジン始動用等の蓄電部と共有したものであり、かつ、その点灯・点滅には任意のスイッチ操作が必要である。
【考案の開示】
【考案が解決しようとする課題】
【０００３】従来の駐車灯及び停車灯の場合、点灯スイッチの操作忘れなどによる不点灯、また、電力消耗によるバッテリーの弱りを防ぎたい目的から故意にスイッチを操作しない場合が懸念された。それにより、トンネルや夜間等視認性の悪い場所での衝突事故の要因となる恐れが大きい。
【考案の効果】
【０００４】車両がエンジン停止など駐車又は停車状態になったことを自動検出し発光状態となることにより、点灯スイッチ操作が不要となる。電源供給は既存の蓄電部分を使用することなく、既存の電力発生・蓄電・供給装置と連携された、増設した蓄電部からのものである。
【考案を実施するための最良の形態】
【０００５】駐車又は停車時、特にトンネル内や夜間などの暗い部分にあっては当該車両の早期発見につながり事故防止の観点からも有効である。
【実施例】
【０００６】点灯部分を例えば車両の最大幅部分または最前部分最後尾部分とした場合、明確に駐車または停車状態の車両の大きさや位置を視認でき、交通安全に寄与することができる【０００７】装置の増設により、大型車両の外周その他の一部または全部に複数設置することにより、視認性においてより有効になる。【０００８】電動車椅子や二輪車など、特に小型の蓄電部を持つ車両においては、当考案の持つ増設した蓄電部が効力を発揮する。
【産業上の利用可能性】
【図面の簡単な説明】
【０００９】
【図１】当該考案の主要な構成図である。  各装置類の大きさは便宜上任意に拡大縮小してある。
【符号の説明】
【００１０】１  発光部
２  集中制御回路部
３  増設蓄電部
４  既存の電気回路
５  既存の蓄電部
【図１】
0003110550.tif 000003
【手続補正書】
【提出日】平成16年11月25日(2004.11.25)
【手続補正１】
【補正対象書類名】実用新案登録請求の範囲
【補正対象項目名】全文
【補正方法】変更
【補正の内容】
【実用新案登録請求の範囲】
【請求項１】
増設蓄電部により既存の蓄電部の電力消費を心配することなく発光する灯火装置であって、既存の電気回路に加え増設する集中制御回路部及び蓄電部及び発光部からなる、エンジン停止など駐車または停車状態になると同時に発光を開始する駐停車視認用灯火装置である。